(57)【要約】【課題】圧電素子を利用したスピーカーやマイクを作成する際に、層形成により音質調整が可能となる音声入出力調整体を提供することを課題とする。【解決手段】圧電素子１を貼り付け一対の電極線３を設けた金属板もしくは導電性シート２および接着剤４および封止材５の各層から形成され、各層の素材の特質あるいは各層の素材の組み合わせにより、出力または入力された音声の音質をコントロールする。【選択図】  図１
2004312647.tif 000002
【特許請求の範囲】
【請求項１】
圧電素子１を貼り付け一対の電極線３を設けた金属板もしくは導電性シート２および接着剤４および封止材５の各層から形成され、各層の素材の特質あるいは各層の素材の組み合わせにより、電極線３を通じて音声信号を送る場合に発生する音の音質をコントロールできることを特徴とする層形成による音声入出力調整体。
【請求項２】
圧電素子１を貼り付け一対の電極線３を設けた金属板もしくは導電性シート２および接着剤４および封止材５の各層から形成され、各層の素材の特質あるいは各層の素材の組み合わせにより、外部からの音声信号を拾って振動し電極線３を通じて直接もしくは無線を通じて間接的に別の場所へ音声信号を送る場合に入力された音の音質をコントロールできることを特徴とする層形成による音声入出力調整体。
【請求項３】
封止材５は、樹脂あるいは紙あるいは金属あるいはフィルムあるいは布であり、金属板もしくは導電性シート２に圧電素子１を貼り付け一対の電極線３を設けた素子の全体を、パッキングあるいは密封あるいは圧着あるいは密閉などの方法を用いて封止することによって、外力を加えると全体が振動することを特徴とする請求項１記載の層形成による音声入出力調整体。
【請求項４】
圧電素子１が貼り付けられる導電性シート２は、導電性のある布や箔などであり、圧電素子１及び導電性シート２から一対の電極線３が設けられた素子の全体を封止材５で封止し、それに外力を加えると全体が振動することを特徴とする請求項１記載の層形成による音声入出力調整体。
【請求項５】
封止材５は防水性のある素材であり、それを用いて封止された全体が防水性を有することを特徴とする請求項１記載の層形成による音声入出力調整体。
【請求項６】
電極線３は圧電素子１及び金属板もしくは導電性シート２から同一面に設けられており、それら全体を封止材５で封止した水平面に表面印刷を施すことができる請求項１記載の層形成による音声入出力調整体。
【発明の詳細な説明】
【０００１】
【発明の属する分野】
電極を設けた圧電素子に音声信号を入出力する際の音質特性の調整に関する。
【０００２】
【従来の技術】
音源から受けた音声を出力するスピーカーとして、もしくは外部からの音声を拾うマイクとして圧電素子を利用する場合、入出力される音声の音質を調整するためには、圧電素子自体の厚さや大きさや形状をコントロールする必要がある。
【０００３】
【発明が解決しようとする課題】
しかしながら、圧電素子自体の厚さや大きさや形状をコントロールすることによる音質の調整には限界があり、調整後金属板およびその他の素材に貼り付けた場合には、貼り付けた結果できた新しい形状のものの音質は以前の音質とは変化してしまい、再調整する必要がある。
そこで、本発明では層形成により音質調整が可能となる音声入出力調整体を提供することを課題とする。
【０００４】
【課題を解決するための手段】
かかる目的を達成するため、本発明は、圧電素子１を貼り付け一対の電極線３を設けた金属板もしくは導電性シート２および接着剤４および封止材５の各層から形成され、各層の素材の特質あるいは各層の素材の組み合わせにより、電極線３を通じて音声信号を送る場合に発生する音の音質をコントロールできることを特徴とする層形成による音声入出力調整体を提供する。
【０００５】
また、外部からの音声信号を拾って圧電素子１が振動する場合には、電極線３を通じて直接もしくは無線を通じて間接的に別の場所へ受信した音声信号を送る場合にその音の音質をコントロールできることを特徴とする層形成による音声入出力調整体を提供する。
【０００６】
【発明の実施の形態】
（基本形態）
以下、図面を参照して本発明の実施の形態について説明する。図２は、本発明の一実施形態における層形成による音声入出力調整体の構成を示すブロック図である。圧電素子１は、図のように金属板もしくは導電性シート２の片面に１枚貼り付けられる場合の他に、金属板もしくは導電性シート２の両面に１枚づつ貼り付けられる場合もある。また、電極線３は図のようにアンプ６に接続される場合の他に、直接音源７に接続される場合もある。
【０００７】
音源７よりアンプ６を通じて増幅された音声信号は、電極線３を通じて圧電素子１に伝送されると、圧電素子１の性質により受信された音声信号としての電気エネルギーが機械エネルギーに変換され、それが振動となって音源からの音波が圧電素子１を通じて発生する。
【０００８】
その際、圧電素子１が発生させた振動はそれが貼り合わされた金属板もしくは導電性シート２に波及し、更にそれらを封止材５で封止した全体にも波及する為、圧電素子１単独の場合よりも、より大きな振動を得られることにより、音源から得られる音量が同じ場合でも、最終的にはより大きな音量を発生させることができる。
【０００９】
さらに図３のように、圧電素子１を貼り付けた金属板もしくは導電性シート２および接着剤４および封止材５が別の層を形成していることにより、それらの素材の特質や組み合わせの仕方によって音質を調整することができる。つまり、素材の性質（硬軟）や素材の形状（大小、厚薄）の違いにより周波数特性が変化することによって、音質を調整することができる。
【００１０】
また、封止材５で圧電素子１を貼り付けた金属板もしくは導電性シート２を封止する際の、封止の仕方（密閉、圧着、密封など）およびかける圧力の違いによっても音質を調整することができる。
【００１１】
封止材５で封止された全体が振動体として作用するため、防水性のある封止材を使用することによって、防水性を有した振動体として利用することが可能であり、印刷が可能である封止材を使用することによって、発音する広告媒体などとしての利用も可能になる。
【００１２】
（第二形態）
第一形態では、圧電素子１をスピーカーのように振動して音声を発する発音体としての側面において説明したが、第二形態では、同じ圧電素子１をマイクのように外部からの音声を吸収して振動を発する振動体としての側面において説明する。
【００１３】
外部からの音波を受けた圧電素子１は振動するが、圧電素子１の性質として受信した振動としての機械エネルギーが電気エネルギーに変換され、それが接続された電極線３を通じて、別の場所に設置されたスピーカーなどから音声信号を発生させることができる。
【００１４】
この場合においても、音波を受けた圧電素子１の振動の大きさ、つまり音質を決定する要素の一つである周波数特性は、圧電素子１を貼り付けた金属板もしくは導電性シート２および接着剤４および封止材５が別の層を形成していることにより、それらの素材の特質や組み合わせの仕方によって調整される。
【００１５】
（変形・応用等の例）
以上、本発明の基本的な実施形態について説明したが、本発明の実施の形態は上述したものに限られるわけではなく、例えば次のような変形ないし応用等も可能である。
【００１６】
上記実施形態では、電極線３は音源７または音源と接続されたアンプ６につながれており、封止材５で封止された全体は音声の出入力を調整する層を形成したものとして機能していたが、電極線３にＬＥＤなどの発光体を接続し、発光の強さを調整する層を形成したものとして機能させることも可能である。
【００１７】
【発明の効果】
以上説明したように本発明の層形成による音声入出力調整体を用いることにより、圧電素子１を利用したスピーカーやマイクを作成する際に、その音質の調整をはかることができる。
また、封止材５の選択により、防水性や印刷可能な音声入出力調整体としての特徴をもたせることもできる。
【図面の簡単な説明】
【図１】本発明の層形成による音声入出力調整体を示す平面図である。
【図２】本発明の一実施形態による層形成による音声入出力調整体の構成を示すブロック図である。
【図３】図１Ａ−Ａ線に沿う断面図である。
【符号の説明】
１  圧電素子
２  金属板もしくは導電性シート
３  電極線
４  接着剤
５  封止材
６  アンプ
７  音源
【図１】
2004312647.tif 000003
【図２】
2004312647.tif 000004
【図３】
2004312647.tif 000005